(57)【特許請求の範囲】
【請求項１】
内周面にカム面が形成された外輪と、内輪と、内外輪間に配置された複数のローラと、各ローラをポケット内に保持する保持器と、各ローラをカム面方向に付勢するバネとを有する一方向クラッチにおいて、上記保持器のポケットを軸方向に二列として各ポケットに上記ローラを保持し、上記内輪をローラの各列に対応する第１内輪と第２内輪から構成し、上記第１内輪を固定部材とするとともに上記第２内輪を上記第１内輪上で滑動する滑動部材とし、上記外輪を各ローラ列に対応する一体形とし、上記外輪のカム面は、上記第１内輪側および第２内輪側の両方とも外輪の回転すべき一方向と同方向にクサビ空間が狭まる形に形成されていることを特徴とする一方向クラッチ。
【請求項２】
上記第１内輪は、大径部と、この大径部に隣接して形成された小径部とを有し、上記第２外輪は、上記小径部の外周に滑動可能に嵌合されていることを特徴とする請求項１記載の一方向クラッチ。
【請求項３】
上記第１内輪は、外径が軸方向に一定の軸で形成され、上記第２内輪は、第１内輪の固定端側の外周に滑動可能に嵌合され、上記複数のローラのうち、第１内輪の外周面に配置されるローラの外径を、第２内輪の外周面に配置されるローラより大きくしたことを特徴とする請求項１記載の一方向クラッチ。
【発明の詳細な説明】
【０００１】
【発明の属する技術分野】
本発明は、例えば、チップマウンターのテープ巻き取り装置等に使用される一方向クラッチに関する。
【０００２】
【従来の技術】
従来のチップマウンターのテープ巻き取り装置においては、巻き取りレバーとテープ巻き取り用リールが相対運動可能に並設され、上記リールの周囲に多数のラチェット溝が形成されて、上記レバーに形成された上記リール送り用のラチェットが噛み合うようにされている。また、本体には上記リール逆転防止用ラチェットが形成され上記リールのラチェット溝に噛み合うようにされている。上記テープは上記リール上に巻き取られる。この巻き取りは、上記レバーの揺動運動によって行われる。すなわち、上記レバーがテープ巻き取り方向に移動させるが、この時、レバーの送り用ラチェットがリールのラチェット溝に噛み合ってリールが所定距離回転させられ、テープが送られる。この時、本体に固定されたリール逆転防止用ラチェットは空回りをさせられる。その後、レバーを送り用ラチェットを空回りさせて原位置に復帰させるが、この時には逆転防止用ラチェットはリールのラチェット溝に噛み合ってリールの戻り、すなわちテープの戻りを防止する。この作動の繰り返しにて、リールにテープを巻き取っていく。
【０００３】
【発明が解決しようとする課題】
上記従来例では、ラチェット機構を使用しているので、部品点数が多く、装置を小型化できない。また、ラチェット機構が発生する騒音が大きい。
【０００４】
このため、出願人において、ラチェット機構を廃止して、ローラ型一方向クラッチを並列に２個配置して、一方のクラッチを巻き取り用レバーに他のクラッチをテープ巻き取り用リールに使用し、上記ラチェット機構の問題を解消することを行ったが、この場合、部品点数が多くなるとともに、軸方向に小型化できないという問題があった。
【０００５】
従って、本発明は、部品点数が少なく、かつ軸方向に幅を薄くできる一方向クラッチを提供することを目的とする。
【０００６】
【課題を解決するための手段】
この発明は上記課題を解消するためになされたものであり、内周面にカム面が形成された外輪と、内輪と、内外輪間に配置された複数のローラと、各ローラをポケット内に保持する保持器と、各ローラをカム面方向に付勢するバネとを有する一方向クラッチにおいて、上記保持器のポケットを軸方向に二列として各ポケットに上記ローラを保持し、上記内輪をローラの各列に対応する第１内輪と第２内輪から構成し、上記第１内輪を固定部材とするとともに上記第２内輪を上記第１内輪上で滑動する滑動部材とし、上記外輪を各ローラ列に対応する一体形とし、上記外輪のカム面は、上記第１内輪側および第２内輪側の両方とも外輪の回転すべき一方向と同方向にクサビ空間が狭まる形に形成されていることを特徴とする。
【０００７】
【発明の実施の形態】
図１および図２は本発明の一実施形態であり、チップマウンターのテープ巻き取り装置において、一方向クラッチは、内周面にカム面が形成された外輪２と、内輪１と、内外輪１，２間に配置された複数のローラ３と、各ローラ３をポケット５内に保持する保持器４と、各ローラ３をカム面方向に付勢するバネ７とを基本的に有している。
【０００８】
上記保持器４は、軸方向に二列のポケット５ａ，５ｂが形成され、それぞれのポケット５ａ，５ｂに第１ローラ３ａおよび第２ローラ３ｂが保持されている。また、バネ７は、所定長さを有する基部７ａと、この基部７ａの中央に形成された平面でハの字形の突出部７ｂ，７ｃからなり、保持器柱４ａの中央部にバネ７の基部７ａが固定されて、ハの字形の突出部７ｂ，７ｃの弾性力により、第１および第２ローラ３ａ，３ｂが外輪２のカム面方向に付勢されている。すなわち、上記ハの字形の突出部の一方７ｂは第１ローラ３ａを付勢し、突出部の他方７ｃは第２ローラ３ｂを付勢している。なお、各ローラ３ａ，３ｂごとに上記形状のバネ７を個別に保持器４に取付けてもよいが、上記一つのバネ７を使用することにより、一方クラッチの軸方向短縮が可能となる。
【０００９】
また、外輪２はシェル状で二列のローラ３ａ，３ｂに共通する一体形とされている。これにより、外輪２に形成されたローラ用軌道部２ａは二列のローラ３ａ，３ｂに共通とされる。そして、この外輪外周面２ｂは、テープ巻き取り用リール１０の内周面１０ａに嵌合固定されている。
【００１０】
さらに、内輪１（実施例では軸）は、大径部８と小径部９とから形成された段付き形状とされた第１内輪１ａと、小径部９に嵌合された第２内輪１ｂとから構成されている。この第１内輪１ａの外周面は第１ローラ３ａが転動する軌道部とされ、第２内輪１ｂの外周面は第２ローラ３ｂが転動する軌道部とされている。また、第１内輪１ａは、チップマウンターの本体に固定されたシャシー１１に、ネジ止め１２にて固定され、さらに第２内輪１ｂは、外端部が巻き取りレバー１３に固定されており、第１内輪１ａと第２内輪１ｂとは相対的に回転移動できるようにされている。なお、第１内輪１ａの端部にはリール押さえ１４が固定されている。
【００１１】
また、図３は本発明の別の実施形態である。図１の実施形態における第１内輪１ａ（実施形態では軸）を同径軸から形成し、第１内輪１ａ上を転動する第１ローラ３ａの直径を大きくしたものであり、他の構成は図１の実施形態と同様である。この図３の実施形態によれば、負荷容量が向上する。
【００１２】
本発明の一方向クラッチは上述の構成とされているが、次にその作動について説明する。
図１において、テープ１５の送り方向を軸心より上側の部分で紙面の表面から裏面に向かうものとし、外輪２のカム面も同方向にクサビ空間が狭まるように形成されているものとして説明する。まず巻き取りレバー１３を紙面の裏面方向に所定距離回転させられて巻き取りレバー１３に固定された第２内輪１ｂが回転させられ、第２ローラ３ｂがカム面方向に転動して第２内輪１ｂに対して外輪２がロックされる。これにより、巻き取りレバー１３と巻き取りリール１０はクラッチ機構にて一体化され、巻き取りリール１０が所要距離だけ回転させられて、巻き取りリール１０上のテープ１５が所定距離だけ送られる。次に、巻き取りリール１０を送るため、巻き取りレバー１３が紙面の表面方向すなわち原位置に戻される。このとき第２内輪１ｂは回転させられ第２ローラ３ｂがカム面から離脱し、第２ローラ３ｂはロックからフリーとされる。この時、第１ローラ３ａは第１内輪１ａが固定されているため、この第１内輪１ａに対して外輪２がロック状態になる。これにより、巻き取りレバー１３だけが原位置に戻され、巻き取りリール１０、すなわちテープ１５は上述の送り位置に維持される。そして、再度、巻き取りレバー１３を紙面の裏面方向に移動させると、第２内輪１ｂの回転に伴い第２ローラ３ｂがカム面方向に移動させられてロックされる。そして、巻き取りレバー１３をさらに所定距離回転させられると、巻き取りレバー１３と巻き取りリール１０は再度クラッチ機構にて一体化され、巻き取りリール１０すなわちテープ１５が所定距離だけ送られる。この繰り返し作動により、テープ１５を間欠的に送ることができる。
【００１３】
【発明の効果】
この発明によれば、チップマウンターのテープ巻き取り装置等に使用される一方向クラッチを、部品点数が少なくかつ軸方向に幅を薄くすることができる。
【図面の簡単な説明】
【図１】本発明の一実施形態の半断面図である。
【図２】図１の転がり軸受の断面図である。
【図３】別の実施形態である転がり軸受の断面図である。
【符号の説明】
１    内輪
１ａ  第１内輪
１ｂ  第２内輪
２    外輪
３    ローラ
３ａ  第１ローラ
３ｂ  第２ローラ
４    保持器
５    ポケット
７    バネ
【図１】
0003857470.tif 000002
【図２】
0003857470.tif 000003
【図３】
0003857470.tif 000004